(57)【要約】メディアまたは他の検索可能なデータオブジェクトに関するタスクを制御するユーザインターフェイスは、現在の検索基準セット、結果セット、およびタスクセットを同時に示す。タスクセットは、現在選択されているタスクが実行すべき結果のサブセットを示す。タスクは、例えば、CDに音楽を録音すること、DVDにビデオを録画すること、テープにビデオを録画すること、音楽を再生すること、ビデオまたは音楽録音等のメディアファイルを電子メールで送ること、ファイルを印刷または削除することなどを含む。検索基準、結果、タスクセットは、同時に表示されてもよいし、プレースホルダーが検索基準、結果、タスクセットのうち１つのきどうにより拡大されて表示されてもよい。常時、少なくとも検索基準、結果、タスクセットのうちいくつかのしるしが表示される。
2005516284.tif 000002
【特許請求の範囲】
【請求項１】
メディア制御ユーザインターフェイスを生成する方法であって、
ディスプレイエリアに現行検索基準を示すコントロールを表示するステップと、
前記ディスプレイエリアに、同時に、前記検索基準により定義された検索の結果を表示するステップと、
同時に、前記結果のうち選択されたものに関して実行すべき少なくとも一の現行タスクを表示し、前記選択された結果を示すステップと、
同時に、前記検索基準、前記少なくとも一の現行タスク、および前記選択された結果のうち少なくとも１つを変更するためにコントロールへのアクセスを許可するステップと
を含む方法。
【請求項２】
請求項１に記載の方法であって、
前記検索基準、前記少なくとも一の現行タスク、前記選択された結果のうち少なくとも１つを変更するためのコントロールを表示するステップをさらに含む方法。
【請求項３】
請求項１に記載の方法であって、
現行検索基準を示す検索コントロールのしるしをディスプレイエリアに表示するステップと、
同時に、前記検索基準により定義された検索の結果のしるしを前記ディスプレイエリア上に表示するステップと、
同時に、タスクコントロールのしるしと、前記結果のうち選択されたものに関して実行すべき少なくとも一の現行タスクのしるしと、前記選択された結果のしるしとを表示するステップと、
ユーザに前記検索コントロールと前記タスクコントロールにアクセスすることを許可するステップと、
ユーザからのコマンドに応じて、前記結果、現行選択されている検索基準、前記少なくとも一の現行タスクのうち少なくとも１つを選択的に表示するステップと
を含む方法。
【請求項４】
請求項３に記載の方法であって、前記検索コントロールの現行設定に応じて、前記結果のリストをすみやかに更新するステップをさらに含む方法。
【請求項５】
請求項３に記載の方法であって、前記タスクコントロールの変更に応じて、前記少なくとも一の現行タスクのしるしをすみやかに更新するステップをさらに含む方法。
【請求項６】
請求項５に記載の方法であって、前記検索コントロールの現行設定に応じて、前記結果のリストをすみやかに更新するステップをさらに含む方法。
【請求項７】
メディアまたは他の検索可能なデータオブジェクトに関するタスクを制御するためのユーザインターフェイスであって、
現行検索基準セット、結果セット、タスクセットを同時に示すように構成されたディスプレイジェネレータを備え、
前記タスクセットは、現在選択されているタスクを実行すべき前記結果のサブセットを示し、
前記検索基準、結果、タスクセットの各々は、またはこれらのプレースホルダーは、同時に表示され、
前記プレースホルダーはコントロールコマンドに応じて起動可能であるユーザインターフェイス。
【請求項８】
請求項７に記載のユーザインターフェイスであって、
前記タスクセットは、CDに音楽を録音すること、DVDにビデオを録画すること、テープにビデオを録画すること、音楽を再生すること、ビデオまたは音楽録音等のメディアファイルを電子メールで送信すること、ファイルを印刷および消去することのうち少なくとも１つを提供するものであるユーザインターフェイス。
【発明の詳細な説明】
【技術分野】
【０００１】
本発明は、ブロードキャストイベント等のメディアコンテンツ、および電子メディアガイド、電子番組ガイド、サーチエンジン等の音楽ファイルを便利に概観するためのユーザインターフェイスに関し、特に、そのようなインターフェイスのうち選択されたメディアコンテンツに関するタスクの制御を許可するインターフェイスに関する。
【背景技術】
【０００２】
ブロードキャストメディアまたは録音タイトル等のメディアデータのタスクを行うユーザインターフェイスは、様々なコンテクストの中で使用され、データオブジェクトの大きな本体からの選択をフィルタリングすることを含む。そのような大量のメディアデータ、例えば、衛星およびケーブルテレビで同時に利用可能な莫大な数のプログラムは、情報を概観し選択するために、検索およびブラウズするためのユーザインターフェイスの設計に新しい挑戦を与えるものである。
【０００３】
選択されたメディアや文書を検索、表示、経路付けするために使用するユーザインターフェイスの設計を向上させることが必要となっている。多くのユーザインターフェイスは、ユーザに質問ウィンドウを提示し、簡単なテキストのリストを表示するだけである。そのような機器は、検索エンジン、EPG、Folio（登録商標）等のテキスト検索ツールに使用されている。しかし、検索問題、結果、検索結果の処分（例えば、保存、印刷、記録、再生）を決める複数のビューをナビゲートしなければならない扱いにくさのため、これらを使うのは単調で退屈である。この状況は、処分が検索結果のセットの選択した構成要素とともに実行しなければならない複数の可能なタスクを含むとき、特に単調で退屈である。
【０００４】
検索エンジンの表示プロセスは汎用コンピュータ、電子番組ガイド（EPG）、ソフトウェアまたはハードウェアのメディアプレーヤ、組み込みシステム等の上で走ってもよい。その検索エンジンの表示プロセスは、検索し、結果を概観するコントロールと、検索結果と共に実行すべきタスクを単一のディスプレイ上に表示する。一実施形態において、現在の設定も、それぞれの設定を変更するためのコントロールとともに表示されている。
【０００５】
一実施形態において、コンテンツフィルタ、結果、タスクリストはすべて、それらを修正するためのコントロールとともに、単一のディスプレイ上に同時に表示される。コンテンツフィルタは、例えば、検索基準の選択を表示し許可するコントロール、組み込まれた選択基準を有するユーザプロファイル、検索すべきデータソース（ユニバース）等を含んでもよい。結果のリストは、好ましくは階層化された一以上の階層レベルを示す、線形の表示であってもよい。結果のリストは、好ましくは、階層構造の形体であり、本発明と同時に出願された特許出願「Method and System for Displaying Search Results」に記載したコントロールを有する。該特許出願の内容はここにすべて記載してあるように、参照により援用されている。タスクリストは、いくつかの選択された動作を受けるべき内容を表示する。結果リストの結果は、現行検索結果からタスクリストに転送できる。例えば、タスクリストは、現在または将来の日時に記録、保存、印刷、表示、再生、または他の場所に転送すべきもの等を表示する。コンテンツとタスクリストに示されたタスクのタイプを変更するためのコントロールは、好ましくは同様に表示されている。
【０００６】
本発明をより良く理解してもらうため、以下の図面を参照して、好ましい実施形態に則して説明する。図面を参照するにあたり、表示された詳細は例示であり、本発明の好ましい実施形態を図解して説明するためだけのものである。また、この詳細は、本発明の原理と概念的側面の最も便利で容易に理解される説明であると信じるものを提供するために表示されている。この事について、本発明の基本的理解に必要な以上に詳細には、本発明の構造的詳細を示そうとするものではない。図面と共に説明を読めば、当業者にとっては、本発明の形体が実際に実施できるか明らかとなろう。
【発明を実施するための最良の形態】
【０００７】
図１を参照して、本発明を実施するための１つの可能な機能的メカニズムを示すために、検索し、検索結果を表示するプロセスが示されている。ソースデータ５は、リモートサーバまたはピアー、ローカルデータストア、または他のデータストアまたはソース上にあり、ユーザインターフェイスプロセス５０により制御された検索プロセス１０により、データを検索およびフィルタするための現在または将来のいかなるメカニズムとも調和するように、フィルタされる。検索プロセスは、一組のフィルタされた検索結果２０を作る。ディスプレイ生成プロセス４０は、検索結果２０にアクセスし、ディスプレイ出力プロセス６０による出力のために一組のフィルタされた検索結果２０をフォーマットする。ディスプレイ生成プロセス４０もユーザインターフェイスプロセス５０に制御されている。
【０００８】
ユーザインターフェイスプロセスは、テレビタイプのリモートコントロール等のハードウェアコントロールと組み合わせる、またはこれを代替する、ボタン、ラジオボタン等のディスプレイグラフィックコントロール等のソフトコントロールを含んでもよいことに留意すべきである。プロセスは、検索に用いる基準と特徴値セットを表示してもよく、ディスプレイ出力プロセス６０により生成された検索結果を表示してもよい。本明細書に照らして関連技術分野の当業者が分かるように、図１に示した構成は可能なものの１つに過ぎない。
【０００９】
図２を参照して、図１に示したプロセスを生成するために使用されるハードウェア環境は、組み込みシステムでもよいプロセッサ１２０を含む。制御プロセッサは内部メモリ、記憶装置、汎用コンピュータを含む。プロセッサ１２０は、データソース１４０からデータを受信する。このデータソース１４０は、リモートサーバ、ローカルデータストア、または他のいかなるソース（図示せず）から、図１に示したソースデータ５を供給してもよい。キーボード、タッチスクリーン１５０、マウス１８０、オーディオ入力（例えばマイクロホン）１７５、ハンドヘルドリモートコントロール１６０等のさまざまな入力機器１３０が、図１のユーザインターフェイスプロセスに入力を提供するために使用されてもよい。検索結果とコントロールは、テレビビジョンＬＣＤ画面や他のディスプレイであるモニタディスプレイ１００に表示されてもよい。結果とコントロールは、オーディオプロンプティングやスピーチ入力等の様々な技術により、出力がスピーカ１７０であるオーディオインターフェイスにより部分的にまたは全体として提供されてもよい。リムーバブルメディア１１０に記憶されたユーザプロファイルまたは予め決められた質問は、いかなる好適な手段またはいかなるタイプのメディアにより、プロセッサ１２０に入力されてもよい。
【００１０】
図３を参照して、ディスプレイエリア２００は、選択基準、選択結果、タスクアイテムを表示する領域２２５、２２０、２１０を含む。選択基準セクション２２５は展開された状態または「開かれた」状態で示されているが、後の２つは隠された状態または「閉じられた」状態で示されている。コントロールは、いかなる好適な仕方で起動されてもよい。例えば、（リモコンについているような）コントロールスイッチを選択および起動することにより、またはマウス等のポインタでドラッグおよびドロップすることにより、起動されてもよい。開かれた選択基準セクション２２５は、２つの選択基準が現在アクティブであることを示す：ジャクリンのユーザプロファイルと好みのジャンルであるアクション。プロファイルはいかなるタイプの好適なプロファイルであってもよく、例えば、コンテンツが概観されるたびに明示的に特定される必要がないように、特定のユーザのプロファイルで多くのタイプの嗜好を定義するものであってもよい。いかなる種類の質問生成プロセスを使用してもよく、図３に示した１以上のコントロールは、キーワードを入れるテキストボックスでも、異なる種類のフィルタを特定できるコントロールであってもよい。例えば、「スポーツファン」、「望みのないロマンス」、「技術狂」等の典型的なユーザが与えられ、選択することができる。タイトルテキストボックス、日付または日付範囲コントロール、レーティングセレクタ等の特定分野の質問のテンプレートも与えられる。
【００１１】
図３の例において、アクションアイコン２３０等のソースアイコンを選択し、選択基準セクション２２５にドラッグしてもよい。ユーザプロファイルを選択は同様である。
【００１２】
フィルタ基準が定義または選択され、検索がされ、その結果が図４に示したように開くセクション２２０に表示される。別の実施形態において、検索基準またはサブセットは表示され続けてもよい。例えば、図４に示したように、アクションジャンルは、領域２３０でコントロールを強調により示され、選択されたプロファイルはセクション２３６に表示されている。現在のフィルタ基準を示すための別の方法は、図５に示したように、現在の選択を表示し、ソースアイコン２３０（図４）を隠すことである。この場合、選択基準は隠されず、選択基準セクション２２５は閉じられない。
【００１３】
図４と５において、検索基準と結果は同じディスプレイに表示されていることに注意すべきである。コントロールは、検索基準を変更するためにユーザによりすぐにアクセス可能とされている。これは、閉じられたセクション２２５または開かれたセクション２２５´を超えてポインタを移動することによりなされる。図４の実施形態において、この動作により選択基準セクション２２５が開き、図５の実施形態において、この動作によりソースアイコンが表示される。いずれの場合にも結果は図３のフォーマットに戻る。
【００１４】
図６を参照して、タスクリスト２１０が表示されている。タスクリスト２１０が参照するタスクは、タスク制御２４０により特定される。タスクはいかなるタイプの許容されたユーザインターフェイスでもよい。例えば、CDに音楽を録音すること、DVDにビデオを録画すること、テープにビデオを録画すること、音楽を再生すること、ビデオまたは音楽録音等のメディアファイルを電子メールで送ること、ファイルを印刷または削除することなどを含む。表示された例において、タスクリスト２１０のアイテムは、コントロール２４０の強調により示されたように記録される。図６の例において、検索基準２２５と結果リスト２２０は、閉ざされた位置に表示されている。別の実施形態において、図７に一方だけが表示されており、いずれか一方または両方を開かれた位置に表示することもできる。図７を参照して、結果２２０、検索基準２２５、タスク２１０リストが開かれた位置に表示されており、検索基準リスト２２５のためのソースコントロール２３０と検索基準リスト２３５は削除されている。しかし、コントロールの現在の選択は、それぞれのリストに示されている。別の実施形態において、ソースコントロールは隠されるのではなく、ゴーストとされる。
【００１５】
本発明の実施形態において、検索結果リスト２２０のいくつかのコンテンツは与えられた動作に影響を受け易く、他のコンテンツは受け易くないので、タスク制御は検索結果リスト２２０のコンテンツをフィルタしてもよい。例えば、ユーザがあるコンテンツを申し込み記録するライセンスを有しているが、他のコンテンツについては有していないとき、結果リストは、記録制御が現在アクティブなとき、記録可能なコンテンツだけを表示する。
【００１６】
前述の実施形態の効果として、検索基準と結果が同じディスプレイにタスクに並べて表示される。一実施形態において、検索基準リスト２２５またはタスクリスト２１０のみが同時にアクティブであり、結果リスト２２０は現在の結果セットをいつも表示している。検索基準リスト２２５がアクティブなとき、そのソースコントロール２３０と２３５は表示されるか、または非ゴースト化される（見易くされるか強調される）。タスクリスト２１０がアクティブのとき、ソースコントロール２４０は表示されるか、または非ゴースト化される。ディスプレイ２２５、２２０、２１０の異なる部分の配置は、好ましくは、実施形態の自然な進行に伴うものである。そのとおり、最初のステップが一の国において左から右にコンテンツフィルタを選択するのが自然であるとき、コンテンツフィルタ２２５は左で、結果セクションはその右に置けばよい。そのような国においては、コンテンツフィルタが最初のステップとして確立されるように、タスクコントロールがコンテンツをフィルタするとき、タスクコントロールは左端に置かれてもよい。
【００１７】
図８を参照して、さらなる実施形態において、すべてのコントロールとリストが常時アクティブとされてもよい。検索基準ソースコントロール３２０と３２５が表示され、タスクリストソースコントロール２９０が連続して表示され利用可能である。結果リストは現在の結果セットを常に表示する。この実施形態において、コントロールをゴースト化したり隠したりする必要はない。表示した例において、現在選択されているジャンルとプロファイルパラメータ２３６と２３７は、検索基準リスト２２５´に示されているが、しかし異なった仕方で表示することも可能である。例えば、ソースコントロール（図示せず）をリストエリアに置くのではなく強調することにより表示することも可能である。
【００１８】
当業者にとっては、本発明はこれまで説明した実施形態の詳細に限定されるものではなく、本発明はその精神または基本的属性から逸脱することなく、他の形体で実施してもよいことは明らかであろう。それゆえ、本発明の実施形態はすべての点で例示であり限定ではないと考えるべきである。本発明の範囲は、これまでの説明ではなく、添付した請求項により示されている。それゆえ、請求項とその均等の範囲に入るすべての変更は、その範囲に包含されることを意図されている。
【００１９】
例えば、コントロール６７０と７７５はハンドルとして表示されているが、動かされるタイルまたは他の記号、およびアイコンやリストアイテムの色等の他の表示パラメータにより示される階層レベルにより置き換えることもできる。
【図面の簡単な説明】
【００２０】
【図１】一実施形態による本発明を実施するためのプロセスを示す図である。
【図２】本発明の一実施形態を実施するためのハードウェア環境の例を示す図である。
【図３】展開の連続した段階において、コンテンツフィルタ、検索結果、タスクリストを示し、その変更を許可する一組のディスプレイとコントロールを示す図である。
【図４】展開の連続した段階において、コンテンツフィルタ、検索結果、タスクリストを示し、その変更を許可する一組のディスプレイとコントロールを示す図である。
【図５】展開の連続した段階において、コンテンツフィルタ、検索結果、タスクリストを示し、その変更を許可する一組のディスプレイとコントロールを示す図である。
【図６】展開の連続した段階において、コンテンツフィルタ、検索結果、タスクリストを示し、その変更を許可する一組のディスプレイとコントロールを示す図である。
【図７】展開の連続した段階において、コンテンツフィルタ、検索結果、タスクリストを示し、その変更を許可する一組のディスプレイとコントロールを示す図である。
【図８】展開の連続した段階において、コンテンツフィルタ、検索結果、タスクリストを示し、その変更を許可する一組のディスプレイとコントロールを示す図である。
【図１】
2005516284.tif 000003
【図２】
2005516284.tif 000004
【図３】
2005516284.tif 000005
【図４】
2005516284.tif 000006
【図５】
2005516284.tif 000007
【図６】
2005516284.tif 000008
【図７】
2005516284.tif 000009
【図８】
2005516284.tif 000010
【国際調査報告】
2005516284.tif 000011
2005516284.tif 000012
2005516284.tif 000013